(57)【要約】【課題】ごく簡単な構成で、しかも見栄えを悪化させることなく撮像ユニットへのゴミの付着を抑制する。【解決手段】ミラーボックス２０の底板２１には、観察位置にあるミラーユニット３０の先端よりも更にレンズ側の位置に空気孔２１ａが設けられている。ミラーユニット３０が上昇すると、ミラーユニット３０と交換レンズ２００との間を通って空気が下降し、空気孔２１ａを通って下方空間５０に排出される。これにより、空気に乗ってきた多くのゴミも下方空間５０に排出される。蓋部材４１は、交換レンズ２００の装着に連動して空気孔２１ａを開放し、交換レンズ２００の取り外しに連動して空気孔を閉塞する。【選択図】図３
2008191478.tif 000002
【特許請求の範囲】
【請求項１】
撮影レンズからの光束を撮像ユニットに導く空間を形成する導光部と、
前記導光部の内部に配置され、前記撮影レンズから前記撮像ユニットまでの撮影光路に挿入されて前記光束を反射する観察位置と前記撮影光路から退避する撮影位置との間を回動可能なミラーユニットと、
前記導光部に形成され、前記ミラーユニットの回動によって移動する空気を前記導光部から排出する開口部と、
前記開口部を開閉する蓋部材とを有することを特徴とするデジタルカメラ。
【請求項２】
前記撮影レンズはデジタルカメラ本体に取り外し可能であり、
前記蓋部材は、前記撮影レンズが前記デジタルカメラ本体に取り付けられると開状態になり、前記撮影レンズが前記デジタルカメラから取り外されると閉状態になることを特徴とする請求項１に記載のデジタルカメラ。
【請求項３】
前記蓋部材は、前記ミラーユニットが回動している間は開状態になり、前記ミラーユニットが回動していないときは閉状態になることを特徴とする請求項１に記載のデジタルカメラ。
【請求項４】
前記蓋部材は、デジタルカメラの電源が入っている状態では開状態になり、前記デジタルカメラの電源が切られた状態では閉状態になることを特徴とする請求項１に記載のデジタルカメラ。
【発明の詳細な説明】
【技術分野】
【０００１】
本発明は、デジタルカメラに関する。
【背景技術】
【０００２】
ミラーボックスの下方にＬＥＤ等の照明手段を設け、ミラーボックス下面に設けた開口を通して撮像ユニットを照明し、光学フィルタに付着したゴミ（異物）を検出するカメラがある（例えば、特許文献１参照）。
【０００３】
【特許文献１】特開２００２−３００４４２号公報
【発明の開示】
【発明が解決しようとする課題】
【０００４】
上述した特許文献１の構造は、あくまでも撮像ユニットに付着したゴミを検出するもので、付着したゴミを除去することはできない。
【課題を解決するための手段】
【０００５】
本発明に係るデジタルカメラは、撮影レンズからの光束を撮像ユニットに導く空間を形成する導光部と、導光部の内部に配置され、撮影レンズから撮像ユニットまでの撮影光路に挿入されて光束を反射する観察位置と撮影光路から退避する撮影位置との間を回動可能なミラーユニットと、導光部に形成され、ミラーユニットの回動によって移動する空気を導光部から排出する開口部と、開口部を開閉する蓋部材とを有することを特徴とする。
撮影レンズがデジタルカメラ本体に取り付けられると蓋部材が開状態になり、撮影レンズがデジタルカメラから取り外されると蓋部材が閉状態になるようにしてもよい。
ミラーユニットが回動している間は蓋部材が開状態になり、ミラーユニットが回動していないときは蓋部材が閉状態になるようにしてもよい。
デジタルカメラの電源が入っている状態では蓋部材が開状態になり、デジタルカメラの電源が切られた状態では蓋部材が閉状態になるようにしてもよい。
【発明の効果】
【０００６】
本発明によれば、撮像ユニットへのゴミの付着を効果的に抑制できる。
【発明を実施するための最良の形態】
【０００７】
図１〜図７により本発明の一実施の形態を説明する。
図１は本実施形態における一眼レフタイプのデジタルカメラの正面図、図２はそのＡ−Ａ線断面図である。カメラボディ１００には、レンズマウント１１の後方に撮影光路を形成するミラーボックス２０が設けられ、その後方にシャッタ１２が、更にその後方に撮像ユニット１３が配置される。またミラーボックス２０の上方には、ファインダ光学系６０が配置される。
【０００８】
レンズマウント１１には交換レンズ（撮影レンズ）２００が装着され、交換レンズ２００を透過した被写体光束は、レンズマウント１１の開口からミラーボックス２０内に入射する。ミラーボックス２０内にはミラーユニット３０が配置されている。
【０００９】
図１５は、本実施形態のデジタルカメラの概略構成を示すブロック図である。
撮影レンズ２００を通して入力される被写体光束は、後述するようにミラーユニット３０が観察位置にあるときはミラーユニット３０で反射されてファインダ光学系に入射し、撮影位置にあるときは、撮像ユニット１３に入射して撮像される。撮像ユニット１３から出力された画像信号は、一時的に不図示のバッファメモリに格納され、制御回路７１でホワイトバランス処理、色変換処理、階調補正処理などの周知の画像処理が施される。制御回路７１において処理された画像データは、ＪＰＥＧ方式などの周知の方法で圧縮されて、カメラ本体に対して着脱自在で、メモリカードスロット７２に挿入されているメモリカード７３に記録される。なお、画像データの記録先は、カメラ本体に対して着脱可能なメモリカード７３でもよいし、カメラ本体に内蔵のメモリ７９でもよい。
【００１０】
操作部７４は、デジタルカメラを操作するための各種操作部材である。レリーズボタンや後述するゴミ取り操作を指示する操作部材などが含まれる。蓋４１は後述する空気孔を開閉するための蓋であり、開閉機構７５を介して制御回路７１から開閉が制御される。なお、蓋４１の開閉は制御回路７１から制御されるだけではなく、撮影レンズ２００の装着に応じてメカニカルな機構だけで開閉しても構わない。
【００１１】
撮影レンズ検出部７６は、撮影レンズ２００のカメラ本体からの着脱を検出する。撮影レンズ検出部７６で検出した撮影レンズ２００の着脱の信号は制御回路７１に送られ、撮影レンズ２００の着脱に応じてゴミ取り操作を行ってもよい。また電源部７７からは電源のオン・オフに関する信号が制御回路７１に送られ、電源のオン・オフに応じてゴミ取り操作を行ってもよい。ミラーユニット３０はミラー駆動回路７８を経由して制御回路７１から制御され、撮影時のみならずゴミ取り操作を行うときにも駆動される。ゴミ取り操作に関しては後で詳しく説明する。
【００１２】
図３，図４はミラーボックス付近の拡大図、図５はミラーボックス２０を上方（ファインダ側）から見た概略図である。ミラーユニット３０は、メインミラー（ハーフミラー）およびその支持部材から成るメインミラーユニット３１と、サブミラーおよびその支持部材から成るサブミラーユニット３２とから構成される。
【００１３】
メインミラーユニット３１の一端部は、ミラーボックス後部においてカメラ横方向の軸Ｘ回りに回動可能に支持され、サブミラーユニット３２は、メインミラーユニット３１に対してカメラ横方向の軸回りに回動可能に支持される。ミラーユニット３０は、制御回路７１によりミラー駆動回路７８を介して駆動され、図３のように撮影光路内に挿入される観察位置と、図７のように撮影光路から退避する撮影位置との間で回動可能とされる。図６はミラー回動途中の状態を示す。
【００１４】
ミラーボックス２０の下方空間５０には、調光ユニット８０（図７）が設けられるとともに、その後方には焦点検出ユニットが、前方にはレンズ駆動機構（いずれも不図示）がそれぞれ配置される。調光ユニット８０は、シャッタ１２の幕面での反射光を受光して光電変換する素子を含み、その光電変換出力が調光に利用される。
【００１５】
ミラーボックス２０の底板２１には、ミラーボックス内空間と下方空間５０とをつなぐスリット状の空気孔２１ａが穿設されている。空気孔２１ａの作用については後述するが、空気孔２１ａは、調光ユニット８０よりもレンズ側、好ましくは観察位置にあるミラーユニット３０のレンズ側端部よりも更にレンズ側に設けられている。空気孔２１ａのカメラ前後方向の幅は本実施形態では１〜２ｍｍ程度であるが、これより狭くても広くても構わない。
【００１６】
上記空気孔２１ａは、蓋部材４１によって開閉可能とされる。蓋部材４１は、基板４２に支持され、基板４２は前後方向（撮影レンズの光軸方向）に進退可能に支持される。４３は基板４２をレンズ側に付勢する引張ばねである。基板４２に形成された長孔には、カメラボディに突設されたピンが係合し、これにより基板４２の進退が案内される。基板４２に形成された突起４２ａは、カメラボディ１００を貫通し、図３に示すように交換レンズ２００の後部壁面２０１に押されることで基板４２の移動が規制される。この状態では、蓋部材４１は空気孔２１ａの後方に退避しており、空気孔２１ａは開放されている。
【００１７】
一方、図４に示すように交換レンズ２００がマウント１１から取り外されると、突起４２ａの押圧が解除されるので、基板４２はばね４３の付勢力によってマウント１１側に移動し、これに連動して空気孔２１ａが蓋部材４１により閉塞される。
なお、図６，図７では蓋部材４１およびその駆動機構（４２，４３）は図示を省略している。また空気孔２１ａは、ミラーユニット３０が回動している間は制御回路７１で制御される開閉機構７５（図１５）によって蓋部材４１が退避して開放され、ミラーユニット３０が回動していないときには蓋部材４１によって閉塞されるようにしても構わない。また空気孔２１ａは、デジタルカメラの電源を入れると制御回路７１で制御される開閉機構７５（図３）によって蓋部材４１が退避して開放され、電源が切られると蓋部材４１によって閉塞されるようにしても構わない。
【００１８】
撮像ユニット１３は、ＣＣＤなどの撮像素子１３ａと、その前面に配置される光学フィルタ（光学ローパスフィルタや赤外カットフィルタなど）１３ｂとを一体化した部組である。シャッタ１２の開口を通過した光束は、光学フィルタ１３ｂを透過して撮像素子１３ａに受光され、撮像素子１３ａの光電変換出力から画像データが生成され、記録される。
【００１９】
以上のように構成されたカメラにおいて、非撮影時には、ミラーユニット３０は図３に示す観察位置にあって撮影光路に挿入されている。このため、ミラーボックス２０内に入射した被写体光束の一部は、メインミラーユニット３１で上方に反射されてファインダ光学系６０に入射し、接眼部６１（図２）を介して観察される。また、メインミラーユニット３１を透過した一部の光束は、サブミラーユニット３２で下方に反射され、下方空間５０に設けられた不図示の焦点検出ユニットに入射し、焦点検出に寄与する。
【００２０】
レリーズボタン１（図１）が全押し操作されると、制御回路７１は、ミラー駆動回路７５を介してミラーユニット３０を図７の撮影位置まで跳ね上げ、撮影光路から退避させる。次いでシャッタ１２が開かれ、ミラーボックス２０内に入射した被写体光束は、ミラーユニット３０に遮られることなくシャッタ開口を通過し、撮像ユニット１３に導かれる。
【００２１】
ところで、レンズマウント１１に撮影レンズ２００あるいはキャップが装着されていないときには、レンズマウント１１を介してミラーボックス２０が外部空間に連通するため、大気中を浮遊する微細なゴミがレンズマウント１１からミラーボックス２０内に侵入することがある。また、シャッタ１２の駆動などによってカメラ内で発生したゴミも、ミラーボックス２０内を浮遊している。そして、これらのゴミが撮像ユニット１３、特に光学フィルタ１３ｂの前面に付着すると、これが撮影画像に写り込んで画像の見栄えを低下させるおそれがある。
【００２２】
ゴミが光学フィルタ１３ａに付着するメカニズムについて説明する。
図８〜図１０は空気孔２１ａが設けられていない従来カメラを示している。図８のようにミラーユニット３０が観察位置にあるとき、ミラーボックス２０内空間は、前後がそれぞれ交換レンズ２００およびシャッタ１２に、上下がそれぞれファインダ光学系６０および底板２１に、左右が側壁２２によって空気的に閉じられている（完全密封されているわけではない）。レリーズボタンが操作され、図９のようにミラーユニット３０が跳ね上げられることにより、ミラーユニット３０の上方空間が急激に狭まるため、その上方空間の空気の多くは、ミラーユニット３０の前方、つまりミラーユニット３０と交換レンズ２００との間の空間を、比較的急速な流れとなって下降する（矢印Ｃ）。このとき、空気中のゴミも空気の流れに乗って同方向に移動する。
【００２３】
下降した空気は、ミラーボックス２０底板２１にぶつかって方向を変え、シャッタ１２側に向かう空気の流れが生ずる（矢印Ｄ）。その後、図１０のようにミラーユニット３０が撮影位置に達し、シャッタ１２が開くと、シャッタ１２側に向かった空気がシャッタ開口（スリット開口）Ｓを通過して撮像ユニット１３に到達し、空気に運ばれてきたゴミが光学フィルタ１３ｂの前面に付着する。
【００２４】
次に、空気孔２１ａによる防塵作用について説明する。
本実施形態では、ミラーボックス底板２１のうちミラーユニット３０の前方（レンズ側）に空気孔２１ａが設けられ、レンズ装着時には空気孔２１ａは開放されている。空気孔２１ａの位置は、図６に示すように、ミラーユニット３０の跳ね上げによって下降してくる空気の流れのほぼ真下であるから、下降してきた空気の多くはこの空気孔２１ａを通って直進し（矢印Ｆ）、下方空間５０に排出される。これにより、空気に乗ってきた多くのゴミも下方空間５０に排出される。したがって、ミラーボックス底板２１上をＤ方向に向かう空気（ゴミ）は従来と比べて大幅に少なくなり、図７のようにシャッタ走行後に光学フィルタ１３ｂに付着するゴミの量も少なくなる。
【００２５】
空気孔２１ａを形成する位置としては、ミラーユニット３０によって発生する空気の流れを利用してゴミをミラーボックス２０の外に排気し、図９のＤ方向に向かう空気の流れを減らせばよいので、次のような位置が考えられる。
空気孔２１ａをミラーボックス２０の底板２１の、ミラーユニット３０のレンズ側端部よりもレンズ側の領域にのみ形成する。また、空気孔２１ａの少なくとも一部がミラーユニット３０のレンズ側端部よりもレンズ部分の領域に配置されるように形成しても構わない。また、ミラーボックス２０の底板２１または上板の、ミラーユニット３０の回動方向（図９のＣの方向またはその逆方向）の領域に設けても構わない。また、底板２１でのレンズの光軸に直交する方向（図５において縦方向での位置）での位置は、レンズの光軸に近い中央部が好ましく、その縦方向（図５における縦方向）の長さはミラーユニット３０の幅と同じまたはそれよりも小さくすることが好ましいが、ミラーユニット３０の幅よりも大きくしても構わない。また空気孔２１ａは、ミラーボックス２０の、観察位置にあるミラーユニット３０と撮影レンズの光軸との交点よりも撮影レンズ側の領域に設けても構わない。
【００２６】
このように本実施形態では、何ら部材を追加することなく、ミラーボックス２０の一部に空気孔を開けるという簡単な加工で、撮像ユニット１３へのゴミの付着量を低減することができる。本発明者らの実験によれば、本実施形態の構造と従来構造（図８〜図１０）とで光学フィルタ１３ｂのゴミの付き具合を比較したところ、カメラボディ１００の撮影動作を１００００回実施した後のゴミの付着量が、本実施形態では従来の半分近くまで低減できることが確認された。
【００２７】
ところで、レンズマウント１１から交換レンズ２００を取り外すと、空気孔２１ａを形成した部分が外部に露出するが、このとき空気孔２１ａは蓋部材４１によって閉塞されるので、下方空間５０に配置された部材が視認されることがなく、見栄えを損なうことがない。
【００２８】
以上は撮影時のミラー駆動に伴うゴミ排出動作について説明したが、撮影時以外のゴミ排出動作について説明する。
例えばレンズ交換時には、外部のゴミがミラーボックス２０内に侵入するおそれがある。レンズ交換後、制御回路７１は、交換レンズ２００が装着されたことを検出してミラーユニット３０を観察位置から撮影位置に跳ね上げ、次いで観察位置に戻す。このミラー駆動は、シャッタ１２を閉じた状態で行う。これにより、ミラーボックス２０に侵入したゴミの多くを空気孔２１ａから下方空間５０に排出することができる。その後、撮影時のミラー駆動によってもゴミ排出がなされるので、光学フィルタ１３ｂへのゴミの付着量をより低減することができる。
【００２９】
レンズ装着時以外にも、例えばカメラへの電源オン時またはオフ時にゴミ排出のためレンズ交換時と同様ミラー駆動を行うようにしてもよい。あるいは、操作者の特定操作（ゴミ排出操作）に応じてゴミ排出のため同様にミラー駆動を行うようにしてもよい。いずれの場合も、ミラー駆動は外部からのゴミの侵入が遮断された状態、つまりレンズマウント１１に交換レンズ２００あるいはキャップが装着されているときにのみ許容されるようにすることが望ましい。また、上記撮影時以外のミラー駆動は、１回でも効果があるが、複数回繰り返すことでより多くのゴミを排出できる。
【００３０】
さらに、光学フィルタ１３ｂに付着してしまったゴミを除去する目的でミラー駆動を行うようにしてもよい。このゴミ除去のためのミラー駆動は、シャッタ１１を開いた状態で行う。上述とは逆に、ミラーユニット３０が撮影位置から観察位置に下降するときに、ミラーユニット３０の下側の空気がシャッタ開口を通して光学フィルタ１３ｂの前面にぶつかり、ゴミを払い落とす役割を果たす。ミラーユニット３０が下降するのでミラーユニット３０の下方空間が急激に狭まるため、下方空間の空気の多くはミラーユニット３０の下方の空間を前方に流れ、ミラーユニット前方の空間に移動する。この流れによってゴミがミラーユニット前方の空間に運ばれ、次回以降のミラーユニットの動作により、空気孔２１ａから下方空間５０に排出される。
【００３１】
また、シャッタ１１が開いた状態で、ミラーユニット３０を撮影位置から観察位置へ回動し、シャッタ１１を閉じた状態で、ミラーユニット３０を観察位置から撮影位置へ回動させても構わない。ミラーユニット３０が撮影位置から観察位置へ回動するときは、シャッタ１１が開いているので、ミラーユニット３０の下側の空気がシャッタの開口を通って光学フィルタ１３ｂの前面にぶつかってゴミを払い落とす。次に、ミラーユニット３０が観察位置から撮影位置に回動するときには、シャッタ１１が閉じた状態になっており、ミラーボックス２０のゴミを空気孔２１ａから排出する。この動作を少なくとも１回、好ましくは複数回行うことによって、光学フィルタ１３ｂに付着したゴミを除去することができる。この場合のミラー駆動も、レンズマウント１１に交換レンズ２００あるいはキャップが装着されているときにのみ許容されるようにすることが望ましい。この操作を電源オン時またはオフ時や、操作者の特定の操作に応じて行ってもよい。また、光学フィルタ１３ｂにゴミが付着しているかどうかを、撮影画像から判断し、ミラー駆動によってゴミの除去を行っても構わない。この場合、ゴミの付着を判断しやすいように白い物体を撮影してその撮影画像からゴミを判断してもよい。また、ゴミが付着しているかどうかの判断を制御部で行い、自動的にミラー駆動を行ってゴミの除去を行っても構わない。
【００３２】
また、撮像ユニットを振動させてゴミを払い落とす従来方式と併用し、撮像ユニットを振動させながら上述したゴミ除去のためのミラー駆動を行うことで、振動と空気流の相乗効果によりゴミ除去効率がアップする。以下、この場合の動作について説明する。
【００３３】
まずシャッタを開いた状態で、光学フィルタ１３ｂに付着したゴミを除去するために光学フィルタ１３ｂの振動を開始する。次に、ミラーユニット３０を複数来駆動させることによって、ゴミを空気孔２１ｃから排出させる。ミラーユニット３０の駆動が終了したらシャッタ１１を閉じ、光学フィルタ１３ｂの振動を停止する。光学フィルタ１３ｂを振動させることによって付着したゴミを除去し、ミラーユニット３０の駆動によって、除去されたゴミを空気孔２１ｃから排出する。またミラーユニット３０を駆動することによって光学フィルタ１３ｂの表面に残存しているゴミを除去することもできる。なお、ミラーユニット３０の駆動方向に特に制限はないが、最初にミラーユニット３０を撮影位置に配置し、そこから観察位置に駆動する動作を行う方が好ましい。
【００３４】
なお、シャッタを開いた状態で、光学フィルタ１３ｂを駆動させてゴミを除去し、ミラーユニット３０を駆動させる前に、シャッタ１１を閉じて光学フィルタ１３ｂの振動を停止させても構わない。また、光学フィルタ１３ｂの振動は最初だけ行っても構わない。これらのゴミ除去の動作は、レンズマウント１１に交換レンズ２００あるいはキャップが装着されているときのみに許容されるようにすることが望ましい。
【００３５】
さらに、例えば特開２００２−３００４４２号公報（引用文献１）に記載されたような方法でゴミ検出を行い、その結果に基づいてゴミ除去が必要か否かを判定し、必要と判断した場合に上記ゴミ除去のためのミラー駆動を行うようにしてもよい。
【００３６】
なお、空気孔の個数や形状は問わない。また上述した実施形態では、観察位置にあるミラーユニット３０のレンズ側端部よりもレンズ側の部分に空気孔２１ａを設けたが、例えば図１１に示すように、空気孔２１ｂをより後方に延長して設けてもよい。さらに図１２に示すように、空気孔２１ｃをレンズ側に延長してもよい。
【００３７】
また空気孔は、観察位置にあるミラーユニット３０のレンズ側端部よりも更にレンズ側の部分を含むという条件を満たせば、ミラーボックス底板２１以外の面に設けてもゴミ排出効果が期待できる。図１３は、ミラーボックス底板２１の空気孔２１ａに加えて、ミラーボックス両側壁２２に空気孔２２ａをそれぞれ設けた例を示している。ミラーボックス上板に設けてもよい。
【００３８】
さらに、ミラーボックス２０に空気孔を設けることに代えて、例えば図１４に示すように、交換レンズ２００の後壁２０１（ミラーユニット３０と対向する面）に空気孔２０１ａを設けてもよい。この場合は、ミラーユニット３０の跳ね上げによってミラーボックス２０内の空気（ゴミ）が空気孔２０１ａを通って交換レンズ２００内の空間に排出され、上述と同様の効果を奏することができる。
【００３９】
また、上述の実施形態ではミラーユニット３０がカメラ横方向の軸回りに回動する例を示したが、ミラーユニットがカメラ上下方向の軸回りに回動するカメラにも本発明を同様に適用できる。
【００４０】
なお以上では、交換レンズ２００の着脱に連動して蓋部材４２を開閉するようにしたが、撮影時以外のミラー駆動（ゴミ排出）を考慮しなければ、レリーズボタン１の全押し操作に伴い、ミラーユニット３０の駆動開始前に蓋部材４１を開位置に移動し、ミラーユニット３０が撮影位置に達した後に蓋部材４１を閉位置に移動するようにしてもよい。これは、例えば蓋部材４１を電動駆動する構成とすることで達成可能である。また、レンズ交換は、通常電源オフ時に行うことに鑑み、カメラへの電源オンに伴って蓋部材を開位置に移動し、電源オフに伴って蓋部材を閉位置に移動するようにしてもよい。
【図面の簡単な説明】
【００４１】
【図１】一実施形態における一眼レフデジタルカメラの正面図。
【図２】図１のＡ−Ａ線断面図。
【図３】図２のミラーボックス付近の拡大図。
【図４】交換レンズを取り外した状態を示すミラーボックス付近の拡大図。
【図５】ミラーボックスをカメラ上面から見た概略図。
【図６】ミラーユニットが上昇途中にあるときの空気の流れを説明する図。
【図７】ミラーユニットが撮影位置まで上昇した状態を示す図。
【図８】従来カメラにおける空気の流れを説明する図で、ミラーユニットが観察位置にある状態を示す。
【図９】図８と同様の図で、ミラーユニットが上昇途中にある状態を示す。
【図１０】図８と同様の図で、ミラーユニットが撮影位置にある状態を示す。
【図１１】大型の空気孔を設けた例を示す図。
【図１２】空気孔をミラーボックス底板とレンズマウントの角部に設けた例を示す図。
【図１３】空気孔をミラーボックス側壁に設けた例を示す図。
【図１４】空気孔を交換レンズに設けた例を示す図。
【図１５】カメラの制御ブロック図。
【符号の説明】
【００４２】
１１  レンズマウント
１２  シャッタ
１３  撮像ユニット
２０  ミラーボックス
２１  ミラーボックス底板
２１ａ  空気孔
２２  ミラーボックス側壁
３０  ミラーユニット
４１  蓋部材
４２  基板
４３  引張ばね
５０  下方空間
６０  ファインダ光学系
７１  制御回路
８０  調光ユニット
２００  交換レンズ
【図１】
2008191478.tif 000003
【図２】
2008191478.tif 000004
【図３】
2008191478.tif 000005
【図４】
2008191478.tif 000006
【図５】
2008191478.tif 000007
【図６】
2008191478.tif 000008
【図７】
2008191478.tif 000009
【図８】
2008191478.tif 000010
【図９】
2008191478.tif 000011
【図１０】
2008191478.tif 000012
【図１１】
2008191478.tif 000013
【図１２】
2008191478.tif 000014
【図１３】
2008191478.tif 000015
【図１４】
2008191478.tif 000016
【図１５】
2008191478.tif 000017